(57)【要約】【課題】キャビネットの各コーナーには陰極線管を取付ける為のボスを前面から起立すると共に、該ボス及び前面を補強する為の補強リブを設けた陰極線管の取り付け構造であって、至ってシンプルな構造にて陰極線管をボスに正しく位置決めして取付けると共に、ボスに作用する衝撃を緩和してキャビネット本体へ伝わらないようにした陰極線管取付け構造の提供。【解決手段】補強リブ１２には陰極線管３の画像表示部４が嵌る開口窓側へ延びる位置決めリブ１５を形成し、位置決めリブ先端は陰極線管３の外周面に近接又は接触している。【選択図】        図２
2004328453.tif 000002
【特許請求の範囲】
【請求項１】
キャビネットの各コーナーには陰極線管を取付ける為のボスを前面から起立すると共に、該ボス及び前面を補強する為の補強リブを設けた陰極線管の取付け構造において、上記補強リブには陰極線管の画像表示部が嵌る開口窓側へ延びる位置決めリブを形成し、位置決めリブ先端は陰極線管の外周面に近接又は接触することを特徴とする陰極線管の取付け構造。
【請求項２】
上記補強リブとキャビネット外面を連結する為の連結リブを設け、上記位置決めリブは連結リブから離れた位置に設けた請求項１記載の陰極線管の取付け構造。
【請求項３】
キャビネットの各コーナーには陰極線管を取付ける為のボスを前面から起立すると共に、該ボス及び前面を補強する為の補強リブを設けた陰極線管の取付け構造において、上記補強リブをキャビネット外面と所定の間隔をおいて沿設し、そして該補強リブの所々には外面と連結する連結リブを設け、さらに隣り合う連結リブの中間部位には補強リブから陰極線管の画像表示部が嵌る開口窓側へ延びる位置決めリブを形成し、位置決めリブ先端は陰極線管の外周面に近接又は接触することを特徴とする陰極線管の取付け構造。
【発明の詳細な説明】
【０００１】
【発明の属する技術分野】
本発明は陰極線管をキャビネットの所定位置に固定する為の取付け構造に関するものである。
【０００２】
【従来の技術】
テレビジョン受像機のキャビネットには非常に重い陰極線管（ＣＲＴ）が取付けられているが、従来のキャビネットは概略四角形の樹脂製枠体であり、前面には上記陰極線管が取付けられ、画像表示部が配置される開口窓を有している。そして、陰極線管のコーナーから延びるブラケットは、開口窓の周囲に形成されるキャビネット前面に設けられているボスにネジ止めされる。
【０００３】
該ボスにはネジ穴が形成されて陰極線管のブラケットがネジ止めされる訳であるが、該陰極線管がキャビネット前面に形成した開口窓に正しく嵌って位置決めされることが必要である。そして、ボスが前面から起立するだけでは強度的に弱いために、キャビネットの外面との間に補強リブを形成している。ところが、陰極線管の重量負荷にてボスが撓み変形するならば、補強リブを介してキャビネット外面に伝わり、外面が変形してその部分が白く変色する。
【０００４】
そこで、このような問題点を解決する為の従来技術として、特開平７−２６４５１４号に係る「ブラウン管取付け構造」が知られている。このブラウン管取付け構造は「中空成形により厚みを厚くして強度を上げ、かつ、テーパー面でブラウン管側面を案内することにより、ブラウン管を取付け位置に誘導するガイドリブを設けている。そこで、ブラウン管を挿入するに従って、該ブラウン管を取付け位置に精度良く誘導することが出来、リブの厚みが厚い為に、ブラウン管保持強度も向上する。」
しかし、ブラウン管を誘導するリブがキャビネット外面の内側より延びている為、輸送時の過大な衝撃がキャビネットに直接伝わって、該キャビネット外面が変形して、白化し、或いは破損する虞がある。
【０００５】
特開平８−３３６０８９号に係る「ＣＲＴ用フロントキャビネット」は、キャビネットの外周壁内側にＣＲＴの側面に向けて突出する板状のガイドリブを設け、ガイドリブは根元側（キャビネット外周壁面側）領域が厚く、先端側領域が薄い段付き形状と成っている。そして、ガイドリブの高さは、ＣＲＴが寸法公差によらず、必ずガイドリブに接するように設定している。そこで、ＣＲＴをキャビネットの画面開口部に押し当てる際、ＣＲＴはガイドリブの先端に接して案内され、正確な位置決めが可能である。
【０００６】
しかし、ガイドリブ先端が薄く形成されている為に、ＣＲＴが衝撃により振れる動作を抑えることが出来ず、位置ズレを起す虞がある。逆に、ガイドリブ先端厚みを厚くすれば脆くなってしまう。さらに、ガイドリブ先端が常にＣＲＴと接触する位置に設け、且つＣＲＴの取付け方向に対してガイドリブが垂直に延びている為に、ＣＲＴの取付け時にガイドリブが邪魔になって生産性が低下する。
【０００７】
実用新案登録第３０５７１８０号に係る「ブラウン管支持構造」は、ブラウン管固定用ボスの周囲に衝撃を吸収可能な円筒体及び補強リブを設け、ブラウン管に接して衝撃を吸収する円筒体及び補強リブから成る受けボスを、キャビネットの裏面より一体的に形成している。しかし、ブラウン管と接触する円筒体は、衝撃により一度大きく変形してしまうと元の状態に戻れない為、緩衝構造としての信頼性は低い。そして、ブラウン管固定用ボスとは別に緩衝用の円筒体を複数設ける為に、ボス周囲の金型を複数ブロック状に分割することとなり、形状が複雑となる上、金型の強度が低下して成形寿命が低下する。金型寿命の低下に伴って、キャビネットの大量生産が抑えられ、生産コストはその分高くなる。
【０００８】
【発明が解決しようとする課題】
このように、陰極線管（ＣＲＴ）を取付けるキャビネット構造には上記のごとき問題がある。本発明が解決しようとする課題はこれら問題点であり、複雑な形状でなく、至ってシンプルな構造にて陰極線管をボスに正しく位置決めして取付けると共に、ボスに作用する衝撃を緩和してキャビネット本体へ伝わらないようにした陰極線管取付け構造を提供する。
【０００９】
【課題を解決する為の手段】
本発明は非常に重い陰極線管を正確に取付ける為に位置決め用リブを設け、そして、キャビネットのコーナーに形成したボス並びにキャビネット全体を補強すると共に、キャビネット本体となる外面に衝撃が伝わらないように構成する陰極線管の取付け構造である。そこで、キャビネットの各コーナーにはキャビネット前面からボスを起立すると共に、該ボス並びに前面を補強する為にリブを設けている。ボスにはネジ穴が形成され、陰極線管のコーナーから外方向へ延びるブラケットがネジ止めされる。
【００１０】
補強リブの形態は色々あるが、キャビネット外面と所定の距離を置いて該補強リブを設け、該補強リブは連結リブを介してキャビネット外面と繋ぐことが出来る。そして、上記補強リブから内側（開口窓側）へ位置決めリブを延ばし、陰極線管の外周面に当接又は近接して位置決めする。ここで、位置決めリブは上記連結リブから離れた位置に設けられ、陰極線管からの衝撃が位置決めリブから連結リブへ伝わってキャビネット外面に影響しないように成っている。以下、本発明に係る実施例を図面に基づいて詳細に説明する。
【００１１】
【実施例】
図１はテレビジョン受像機の外観を示し、同図の１はキャビネット、２は裏蓋、３は陰極線管（ＣＲＴ）を表わしている。キャビネット１は四角形の枠体を成し、陰極線管３は該キャビネット１の内部に取付けられ、陰極線管３の画像表示部４はキャビネット前面５の開口窓に嵌っている。
【００１２】
図２は上記キャビネット１の背面図を示し、キャビネット１は樹脂製の成形部品であって、その形状は長方形の枠体にて構成され、上面６、下面７、及び両側面８，８を有し、後側は完全開口しているが前面５には陰極線管の画像表示部が嵌る開口窓９を形成している。そして、長方形枠体で構成されるキャビネット１の各コーナーにはボス１０，１０・・が前面５から垂直に起立し、ボス１０にはネジ穴１１が設けられている。
【００１３】
このボス１０に陰極線管のコーナーから延びるブラケットがネジ止めされる訳であるが、前面５から起立しただけの４本のボス１０，１０・・では、重い陰極線管を支えることが出来ない為に同図に示すような各種リブを設けている。同図に示す実施例の場合、上面６、下面７、及び両側面８，８と所定の間隔をおいて平行に設けている補強リブ１２，１２・・を有し、該補強リブ１２，１２・・は上面６、下面７、両側面８，８と連結リブ１６，１６・・によって連結されている。
【００１４】
そして補強リブ１２，１２・・が互いに交差するコーナー部には補助リブ１３，１３・・を設けて、隣り合う補強リブ１２，１２を繋いで三角形構造体を形成している。そして、三角形構造体の内部には上記ボス１０が設けられ、ボス１０から延びる繋ぎリブ１４，１４は三角形構造体と連結している。同図に示すキャビネット１の各コーナーにはボス１０を中心に備えた三角形構造体が設けられ、該三角形構造体が補強リブ１２，１２・・にて連結された形態を構成している。
【００１５】
そして、補強リブ１２，１２・・には位置決めリブ１５，１５・・が開口窓側へ延び、しかもその位置は上記連結リブ１６，１６・・が位置する中間部位に設けられて、これら各リブ１２，１２・・１３，１３・・、１６，１６・・にてキャビネット１の強度・剛性は高くなる。位置決めリブ１５，１５・・は上面側、下面側、及び両縦面側に夫々２本づつ設けられ、開口窓９に画像表示部が嵌って取付けられる陰極線管を位置決めすることが出来ると共に、陰極線管に衝撃が作用した際の緩衝手段として機能する。
【００１６】
図３は開口窓９に画像表示部が嵌ってキャビネット１に陰極線管３が取付けられた場合を示している。陰極線管３の各コーナーにはブラケット１７，１７・・が取着され、該ブラケット１７，１７・・はボス１０，１０・・にネジ止めにて固定される。この場合、上記位置決めリブ先端は陰極線管３の外周面２２に近接又は接し、該陰極線管３を所定位置に正しく取付けることが出来る。ここで、位置決めリブ１５，１５・・の先端にテーパーを形成して該陰極線管３が取付け易いようにすることも出来る。
【００１７】
陰極線管３はブラケット１７，１７・・を介してキャビネット１に取付けられ、位置決めリブ１５，１５・・で支えられていないが、陰極線管３に何らかの衝撃が作用する場合、ブラケット１７，１７・・がネジ止め・固定されているボス１０，１０・・は変形し、該ボス１０，１０・・を補強している周囲のリブも変形する。この場合、位置決めリブ先端にも陰極線管３が当って、該位置決めリブ１５，１５・・を押圧することになる。
【００１８】
位置決めリブ１５，１５・・に押圧力が作用するならば、キャビネット外面と平行に延びている補強リブ１２は撓み変形する。この補強リブ１２はキャビネット外面と繋がっている連結リブ１６，１６によって両端支持形態を構成し、補強リブ１２が両連結リブ間で撓み変形することでキャビネット外面への影響を極力抑えることが出来る。この為に位置決めリブ１５は両連結リブ１６，１６の中間位置に設けるほうが好ましい。このように、キャビネット１に位置決めリブ１５，１５・・を設けることで、ブラケット１７をネジ止めしているボス１０並びにボス周囲のリブに及ぼす負担を軽減し、キャビネット外面に発生する白化並びに破損を防止することが出来る。
【００１９】
図４は本発明に係るキャビネットを示す他の実施例である。同図に示すように、キャビネット１の各コーナーには前面５からボス１０が起立し、陰極線管３のコーナーに取着しているブラケット１７は該ボス１０にネジ止めされる。同図の点線は陰極線管３を示している。そして上記ボス１０から第１補強リブ１８ａ，１８ｂと第２補強リブ１９ａ，１９ｂを両側へ延ばし、第１補強リブ１８ａ，１８ｂはキャビネット外面と連結し、第２補強リブ１９ａ，１９ｂは先端に支柱２０ａ，２０ｂを設け、この支柱２０ａ，２０ｂから延びる連結リブ２１ａ，２１ｂはキャビネット外面と繋がっている。
【００２０】
ボス１０及び第１補強リブ１８ａ，１８ｂ、第２補強リブ１９ａ，１９ｂを立体的に表示しているのが図５である。ボス１０は第１補強リブ１８ａ，１８ｂ及び第２補強リブ１９ａ，１９ｂによって、その周囲は補強され、第２補強リブ１９ａ，１９ｂの中間部位には位置決めリブ１５ａ，１５ｂを設けていて、位置決めリブ先端は陰極線管３の外周面２２と近接又は接触している。そこで、キャビネット１に取付けられている陰極線管３は上記位置決めリブ１５ａ，１５ｂによって所定位置に位置決めされ、同時に陰極線管３に作用する衝撃を吸収して、キャビネット外面への影響を抑制することが出来る。
【００２１】
図６は本発明に係る取付け構造を示す別実施例である。基本的な形態は前記図４に示す実施例と同じであるが、ボス１０の周りに小さな第１補強リブ２３，２３・・を設け、そして第２補強リブ１９ａ，１９ｂを両側へ延ばしている。第２補強リブ１９ａ，１９ｂは先端に支柱２０ａ，２０ｂを設け、この支柱２０ａ，２０ｂから延びる連結リブ２１ａ，２１ｂはキャビネット外面と繋がっている。
【００２２】
そして、第２補強リブ１９ａ，１９ｂの中間部位には位置決めリブ１５ａ，１５ｂを設けていて、位置決めリブ先端は陰極線管３の外周面２２と近接又は接触している。そこで、キャビネット１に取付けられている陰極線管３は上記位置決めリブ１５ａ，１５ｂによって所定位置に位置決めされ、同時に陰極線管３に作用する衝撃を吸収して、キャビネット外面への影響を抑制することが出来る。
【００２３】
以上述べたように、本発明に係る陰極線管取付け構造は、キャビネットのコーナーにボスを設けると共に、該ボスの周囲から補強リブを形成し、該補強リブから内側へ位置決めリブを延ばしたものであり次のような効果を得ることが出来る。
【００２４】
【発明の効果】
本発明の陰極線管取付け構造は、キャビネットのコーナーには前面から起立してボスを設けると共に該ボスの周りにはリブを設けている。そして、該リブから位置決めリブを延ばし、キャビネットの開口窓に画像表示部を嵌めて取付けた陰極線管の外周面に位置決めリブの先端を近接又は接触させることで、該陰極線管を正しく位置決めして取り付けることが出来る。
【００２５】
又、位置決めリブは陰極線管を位置決めするだけでなく、重い陰極線管に衝撃が作用した場合、ブラケットが固定されているボスは変形して陰極線管外周面は位置決めリブに当り、衝撃荷重の一部を該位置決めリブにて支えることが出来る。位置決めリブも変形して衝撃力を吸収することが出来るが、位置決めリブの位置をキャビネット外面と連結しているリブから離すことで、キャビネット外面への衝撃の影響を抑えることが出来て、キャビネット外面の変形は抑えられ、外面が白化したり破損する現象を防止することが出来る。
【００２６】
本発明は陰極線管を取着するボス、該ボスを補強するリブを設けると共に該リブから位置決めリブを延ばした簡単な構造であり、キャビネット本体と共に同時に一体成形することが出来る。従って、成形金型も簡単となって製作費は安く、しかも金型寿命は長くなる。
【図面の簡単な説明】
【図１】陰極線管を取付けたキャビネット。
【図２】本発明に係る陰極線管の取付け構造。
【図３】キャビネットに陰極線管を取付けた状態。
【図４】本発明に係る陰極線管の取付け構造。
【図５】図４の取付け構造を立体的に表わした部分詳細図。
【図６】本発明に係る陰極線管の取付け構造。
【符号の説明】
１  キャビネット
２  裏蓋
３  陰極線管
４  画像表示部
５  前面
９  開口部
１０  ボス
１２  補強リブ
１３  補助リブ
１５  位置決めリブ
１６  連結リブ
【図１】
2004328453.tif 000003
【図２】
2004328453.tif 000004
【図３】
2004328453.tif 000005
【図４】
2004328453.tif 000006
【図５】
2004328453.tif 000007
【図６】
2004328453.tif 000008